(57)【要約】【課題】非常に簡単にメモリカードからハードディスクへのデータの転送処理を行う。【解決手段】  データ保存装置１０は、ホスト機器の携帯型の外付け機器として用いられる。データ保存装置１０は、ハードディスクドライブ２１と、メモリカードドライブ２２，２３と、２次電池２７と、コピーボタン１２と、メインコントローラ３０とを備えている。メインコントローラ３０は、コピーボタン１２が押されると、メモリカードドライブ２２，２３に装着されているメモリカード３内に記録されている情報を、ハードディスクドライブ２１内のハードディスクに記録する。【選択図】図３
2005148852.tif 000002
【特許請求の範囲】
【請求項１】
ホスト機器の外付け機器として用いられるデータ保存装置において、
データ記録メディアに対して、データの記録及び再生をするメディアドライブと、
データを記憶するカード状のメモリ装置であるメモリカードが着脱され、装着されたメモリカードに対してデータの記録及び再生をするメモリカードドライブと、
上記メディアドライブ及び上記メモリカードドライブに対して記録及び再生されるデータの転送制御を行う転送制御手段と、
コピーボタンとを備え、
上記転送制御手段は、上記コピーボタンが操作されると、上記メモリカードドライブに装着されているメモリカード内に記録されている情報を、上記メディアドライブのデータ記録メディアに記録すること
を特徴とするデータ保存装置。
【請求項２】
上記データ記録メディアは、取り外し不可能な内蔵型記憶媒体であること
を特徴とする請求項１記載のデータ保存装置。
【請求項３】
上記メディアドライブは、データ記録メディアとしてハードディスクを内蔵し、当該ハードディスクに対して磁気的にデータの記録及び再生をするハードディスクドライブであること
を特徴とする請求項１記載のデータ保存装置。
【請求項４】
上記転送制御手段と上記ホスト機器とを所定のインフェース方式により接続する接続手段を備え、
上記転送制御手段は、上記接続手段を介して上記ホスト機器と接続された場合には、上記データ記録メディアドライブ及び上記メモリカードドライブを上記ホスト機器のシステムの一機能として認識させるとともに、上記データ記録メディアドライブ及び上記メモリカードドライブをそれぞれ独立したデバイスとして認識させること
を特徴とする請求項１記載のデータ保存装置。
【請求項５】
上記転送制御手段は、上記接続手段を介して上記ホスト機器と接続されていないときにのみ、上記メモリカードドライブに装着されているメモリカード内に記録されている情報を、上記データ記録メディアドライブのデータ記録メディアに記録すること
を特徴とする請求項４記載のデータ保存装置。
【請求項６】
上記転送制御手段は、上記メモリカードドライブに装着されているメモリカード内に記録されている情報を上記データ記録メディアドライブのデータ記録メディアに記録する場合、上記データ記録メディアのファイルシステム上に新たなディレクトリを形成し、その新たなディレクトリ下に上記メモリカード内の情報を記録すること
を特徴とする請求項１記載のデータ保存装置。
【請求項７】
上記転送制御手段は、上記新たなディレクトリの名称は、上記メモリカード内のファイル情報に基づき生成すること
を特徴とする請求項６記載のデータ保存装置。
【請求項８】
上記転送制御手段は、上記新たなディレクトリの名称は、上記メモリカード内のファイルの日付情報のうち、最も新しい日付情報に基づき生成すること
を特徴とする請求項６記載のデータ保存装置。
【請求項９】
少なくとも上記データ記録メディアドライブ、上記メモリカードドライブ及び上記転送制御手段に動作電力を供給する二次電池を備えること
を特徴とする請求項１記載のデータ保存装置。
【請求項１０】
上記転送制御手段と上記ホスト機器とを所定のインフェース方式により接続する接続手段を備え、
上記電力制御手段は、上記接続手段を介して上記ホスト機器から供給される電力を上記二次電池に充電すること
を特徴とする請求項９記載のデータ保存装置。
【請求項１１】
外部電力が入力される入力端子と、
少なくとも上記データ記録メディアドライブ、上記メモリカードドライブ及び上記転送制御手段に、上記入力端子から入力された外部供給する電力制御手段とを備えること
を特徴とする請求項１記載のデータ保存装置。
【請求項１２】
二次電池と、
外部電力が入力される入力端子と、
少なくとも上記データ記録メディアドライブ、上記メモリカードドライブ及び上記転送制御手段の駆動電力を制御する電力制御手段とを備え、
上記電力制御手段は、上記入力端子から外部電力が供給されていない場合には、上記二次電池の電力を上記駆動電力として供給し、上記入力端子から外部電力が供給されている場合には、上記外部電力を上記駆動電力として供給するとともに上記外部電力を二次電池に充電すること
を特徴とする請求項１記載のデータ保存装置。
【請求項１３】
上記転送制御手段と上記ホスト機器とを所定のインフェース方式により接続する接続手段を備え、
上記電力制御手段は、上記接続手段を介して上記ホスト機器から供給される電力を上記二次電池に充電すること
を特徴とする請求項１２記載のデータ保存装置。
【請求項１４】
上記メモリカードドライブに装着されているメモリカード内に記録されている情報を上記データ記録メディアドライブのデータ記録メディアに記録に対する状態をユーザに表示する表示部を備えること
を特徴とする請求項１記載のデータ保存装置。
【発明の詳細な説明】
【技術分野】
【０００１】
本発明は、コンピュータの外付け機器として用いられるハードディスク等を記憶媒体としたデータ保存装置に関するものである。
【背景技術】
【０００２】
ハードディスクドライブ（以下、ＨＤＤという。）は、大容量のデータの記憶が可能であり、また、記憶されたデータへの高速アクセスが可能である。このため、ＨＤＤは、パーソナルコンピュータ等の外部記憶装置として広く用いられている。また、装置本体と接続ケーブルを介して接続される外付型のＨＤＤ等も利用されている。例えば、外付型のＨＤＤに画像データや音楽データ等を記憶させておけば、そのＨＤＤを持ち歩くことにより、いろいろなコンピュータにコンテンツの再生をさせることができて、非常に便利である。
【０００３】
一方、デジタルスチルカメラ等の携帯型機器の記録メディアには、リムーバブルなカード型の小型ＩＣメモリ装置（以下、メモリカードと呼ぶ。）が用いられることが多い。メモリカードは、他の記録メディアに比べて小型であるにも関わらず比較的に大きな容量を有しており、非常に使い勝手がよいからである。
【０００４】
ところで、デジタルスチルカメラ等の携帯型機器のコンテンツとなる画像データや音楽データ等は、最終的にはＨＤＤに転送して管理するのが一般的である。そのため、ユーザは、メモリカードにある程度のデータが蓄積されると、その都度、そのデータをコンピュータに転送する必要がある。
【０００５】
しかしながら、一般にコンピュータは起動時間が遅く、メモリカードからコンピュータへの転送の度に、コンピュータを起動するのははなはだ面倒である（例えば、特許文献１参照。）。
【０００６】
【特許文献１】特開２００２−１０９５２８号公報
【発明の開示】
【発明が解決しようとする課題】
【０００７】
本発明は、以上のような実状を鑑みてなされたものであり、非常に簡単にメモリカードからハードディスク等の記録媒体へのデータの転送処理を行うことができるコンピュータのデータ保存装置を提供することを目的とする。
【課題を解決するための手段】
【０００８】
本発明にかかるデータ保存装置は、ホスト機器の外付け機器として用いられるデータ保存装置であって、データ記録メディアに対して、データの記録及び再生をするメディアドライブと、データを記憶するカード状のメモリ装置であるメモリカードが着脱され、装着されたメモリカードに対してデータの記録及び再生をするメモリカードドライブと、上記メディアドライブ及び上記メモリカードドライブに対して記録及び再生されるデータの転送制御を行う転送制御手段と、コピーボタンとを備え、上記転送制御手段は、上記コピーボタンが操作されると、上記メモリカードドライブに装着されているメモリカード内に記録されている情報を、上記メディアドライブのデータ記録メディアに記録する。
【０００９】
このような上記データ保存装置では、ハードディスク等のメディアドライブとメモリカードドライブとをホスト機器の外付け機器として一体的に構成しておき、コピーボタンが操作されると、メモリカードドライブに装着されているメモリカード内に記録されている情報を、上記ハードディスク等のメディアドライブのデータ記録メディアに記録する。
【発明の効果】
【００１０】
本発明に係るデータ保存装置では、非常に簡単にメモリカードからハードディスク等の記録メディアへのデータの転送処理を行うことができる。
【発明を実施するための最良の形態】
【００１１】
以下、本発明の実施の形態として、本発明を適用した携帯型のハードディスクシステムについて詳細に説明する。
【００１２】
本発明の実施の形態の携帯型ハードディスクシステム１０は、ハードディスクドライブを内部に備えており、図１に示すように、パーソナルコンピュータ等の情報処理装置１（以下、ホスト機器１という。）と例えばＵＳＢやＩＥＥＥ１３９４等の接続ケーブル２を介して接続されることにより、ホスト機器１の外部データ保存デバイスとして機能するものである。なお、ハードディスクドライブとは、円板状の磁気記録媒体（ハードディスク）を内部に備えており、当該ハードディスクを回転駆動しながら磁気ヘッドによりデータの記録及び再生をする装置である。
【００１３】
また、携帯型ハードディスクシステム１０は、メモリカード３に対してデータの書き込み及び読み出しを行うメモリカードドライブを内部に備えており、ホスト機器１と例えばＵＳＢやＩＥＥＥ１３９４等の接続ケーブル２を介して接続されることにより、ホスト機器１のメモリカードドライブデバイスとして機能する。なお、メモリカード３とは、不揮発性半導体メモリを内部に備えたリムーバブルな小型カード状のメモリ装置である。メモリカードドライブとは、メモリカード３が装着可能され、装着されたメモリカード３に対してデータの書き込み及び読み出しを行う装置である。
【００１４】
また、携帯型ハードディスクシステム１０は、２つのメモリカードドライブを備えており、異なる２種類のメモリカードに対してデータの書き込み及び読み出しが可能である。以下、一方の種類を第１のメモリカード３ａといい、他方の種類をメモリカード３ａといい、総称するときには単にメモリカード３という。
【００１５】
携帯型ハードディスクシステム１０の外観構成について、図１及び図２を参照して説明をする。
【００１６】
携帯型ハードディスクシステム１０は、片手で持ち運びできる程度の大きさの略直方体状の筐体１１を備えている。
【００１７】
また、携帯型ハードディスクシステム１０は、コピーボタン１２と、リセットボタン１３と、表示部１４とを備えている。
【００１８】
コピーボタン１２、リセットボタン１３及び表示部１４は、筐体１１の主面１１ａ（ここでは机上に筐体１１を載置したときに表側に表れる面を主面１１ａという。）に設けられている。コピーボタン１２及びリセットボタン１３は、ユーザにより押されるモーメンタリ型のスイッチである。コピーボタン１２は、メモリカード内の情報をハードディスクにコピーするための開始ボタンである。リセットボタン１３は、上記のコピー動作を途中で中断させるためのボタンである。
【００１９】
表示部１４は、５つの発光ダイオードにより構成されており、その発光状態が当該携帯型ハードディスクシステム１０の動作状態を示す。表示部１４は、例えば、電源がオン/オフの状態、メモリカード３の装着の有無、コピー動作状態等を、５つの発光ダイオードの表示パターンにより示す。
【００２０】
また、携帯型ハードディスクシステム１０は、筐体１１の１つの側面（第１の側面１１ｂ）に設けられた第１のスロット１５及び第２のスロット１６を備えている。
【００２１】
第１のスロット１５は、第１のメモリカード３ａに対してデータの書き込み及び読み出しを行う第１のメモリカードドライブに対して、外部から第１のメモリカード３ａを着脱させるための挿入口である。第２のスロット１６は、第２のメモリカード３ｂに対してデータの書き込み及び読み出しを行う第２のメモリカードドライブに対して、外部から第２のメモリカード３ｂの着脱させるための挿入口である。
【００２２】
また、携帯型ハードディスクシステム１０は、図２に示すように、筐体１１の他の１つの側面（第２の側面１１ｃ）に設けられたＩ／Ｆコネクタ１７と、ＤＣジャック１８とを備えている。
【００２３】
Ｉ／Ｆコネクタ１７は、例えばＵＳＢやＩＥＥＥ１３９４等のホスト機器１との間のデータ転送規格に準拠した接続ケーブル２が挿入されるコネクタである。Ｉ／Ｆコネクタ１７に接続ケーブル２が挿入されることによって携帯型ハードディスクシステム１０とホスト機器１とが接続されると、ホスト機器１と携帯型ハードディスクシステム１０との間のデータ送受信が可能となる。
【００２４】
ＤＣジャック１８は、家庭用交流電源から得られる電圧を直流電圧に変換するＡＣアダプタが挿入される端子である。携帯型ハードディスクシステム１０では、ＤＣジャック１８にＡＣアダプタを挿入することにより、外部から動作電力の供給がされる。
【００２５】
また、携帯型ハードディスクシステム１０には、Ｉ／Ｆコネクタ１７及びＤＣジャック１８が設けられている側面１１ｃに、蓋部１９が設けられている。蓋部１９は、側面１１ｃとほぼ同等の大きさの平板形状となっており、平板の一辺が側面１１ｃに対して回動可能に取り付けられている。蓋部１９は、Ｉ／Ｆコネクタ１７及びＤＣジャック１８にケーブルが接続されていない状態のときには、側面１１ｃに沿って閉じた状態で固定され、Ｉ／Ｆコネクタ１７及びＤＣジャック１８を覆い隠す。Ｉ／Ｆコネクタ１７及びＤＣジャック１８にケーブルが接続されるときには、側面１１ｃに対してほぼ垂直に開かれて固定され、Ｉ／Ｆコネクタ１７及びＤＣジャック１８にケーブルを接続可能な状態にする。
【００２６】
また、携帯型ハードディスクシステム１０は、筐体１１の更に他の側面（第３の側面１１ｄ）に設けられたパワーボタン２０を備えている。
【００２７】
パワーボタン２０は、ユーザにより押されるモーメンタリ型のスイッチであり、当該携帯型ハードディスクシステム１０に対する電源オン及び電源オフをするためのボタンである。
【００２８】
つぎに、携帯型ハードディスクシステム１０の電気的な構成について、図３を参照して説明をする。
【００２９】
携帯型ハードディスクシステム１０は、ハードディスクドライブ２１と、第１のメモリカードドライブ２２と、第２のメモリカードドライブ２３とを備えている。
【００３０】
ハードディスクドライブ２２は、ハードディスク（ＨＤ）２４を内部に有しており、このハードディスク２４に対してデータの書き込み及び読み出しを行う。第１のメモリカードドライブ２２は、第１のメモリカード３ａが装着可能とされ、装着された第１のメモリカード３ａに対してデータの書き込み及び読み出しを行う。第２のメモリカードドライブ２３は、第２のメモリカード３ｂが装着可能とされ、装着された第２のメモリカード３ｂに対してデータの書き込み及び読み出しを行う。ハードディスクドライブ２１、第１のメモリカードドライブ２２及び第２のメモリカードドライブ２３は、例えばＡＴＡ（Advanced Technology Attachment）やＩＤＥ（Integrated Device Electronics）のような所定のバス規格に準拠した共通の１つのバスに接続され、当該バスを介してデータの入出力がされる。
【００３１】
また、携帯型ハードディスクシステム１０は、インタフェース回路２５と、バス変換回路２６とを備えている。
【００３２】
インタフェース回路２５は、Ｉ／Ｆコネクタ１７を介して例えばＵＳＢやＩＥＥＥ１３９４等のデータ転送方式で、ホスト機器１とデータの送受信を行うための送受信回路である。
【００３３】
バス変換回路２６は、ＵＳＢやＩＥＥＥ１３９４等のホスト機器１との間のデータ転送方式のデータと、ＡＴＡやＩＤＥのようなデバイスアクセス用のバス規格に準拠したデータとのデータの方式変換を行う。例えば、バス変換回路２６は、ＵＳＢ方式でホスト機器１から転送されてきたデータをＡＴＡ方式のデータに変換し、変換後のデータに基づきハードディスクドライブ２１又はメモリカードドライブ２２，２３をアクセスしたり、また、ハードディスクドライブ２１又はメモリカードドライブ２２，２３から出力されたＡＴＡ方式のデータをＵＳＢ方式のデータに変換し、変換後のデータをインタフェース回路２５を介してホスト機器１に転送したりする。
【００３４】
また、携帯型ハードディスクシステム１０は、二次電池２７と、バッテリコントローラ２８と、残量検出回路２９とを備えている。
【００３５】
二次電池２７は、例えばリチウムイオン電池等の充電可能な電池である。
【００３６】
バッテリコントローラ２８には、ＤＣジャック１８から供給される直流電力（ＡＣ電力）及び二次電池２７から出力される直流電力（バッテリ電力）、ＵＳＢやＩＥＥＥ１３９４等のデータ転送バスを介してホスト機器１から供給される直流電力（バス電力）が入力される。バッテリコントローラ２８は、ＡＣ電力が供給されている場合には、そのＡＣ電力を本携帯型ハードディスクシステム１０の駆動電力とするために各回路に供給するとともに、そのＡＣ電力によって二次電池２７を充電する。また、バッテリコントローラ２８は、ＡＣ電力が供給されておらず、バス電力のみが供給されている場合には、バス電力を本携帯型ハードディスクシステム１０の駆動電力とするために各回路に供給する。このとき、バッテリコントローラ２８は、消費電力がバス電力の規格上限（ＵＳＢであれば５００ｍＡ）を超えないように管理し、もし超えてしまうようであれば、バッテリ電力から補うように電力制御をする。また、ＡＣ電力もバス電力も供給されていない場合には、バッテリ電力を本携帯型ハードディスクシステム１０の駆動電力とするために各回路に供給する。
【００３７】
残量検出回路２９は、二次電池２７の充電残量を検出する。残量は、例えば、二次電池２７の電圧を検出する方法や、クーロンカウンタ方式により算出する方法等を用いて推定する。また、二次電池２７の温度を測定し、その温度により算出した電力残量を補正するようにしてもよい。
【００３８】
また、携帯型ハードディスクシステム１０は、メインコントローラ３０を備えている。メインコントローラ３０は、ハードディスクドライブ２１、第１のメモリカードドライブ２２及び第２のメモリカードドライブ２３に対するアクセスの制御を行う。メインコントローラ３０は、コピーボタン１２及びリセットボタン１３の操作状態を検出し、その操作状態に応じた制御を行う。メインコントローラ３０は、パワーボタン２０の操作状態を検出し、電源オン及び電源オフの管理を行う。メインコントローラ３０は、残量検出回路２９により検出された二次電池２７の電力残量に基づき、各種の制御を行う。また、メインコントローラ３０は、Ｉ／Ｆコネクタ１７に接続ケーブル２が接続されているか否か、ＤＣジャック１８にＡＣアダプタが接続されているか否かに応じて、動作モードの切り換え制御を行う。
【００３９】
以上のように携帯型ハードディスクシステム１０は、ハードディスクドライブ２１と、メモリカードドライブ２２，２３とが１つの筐体内に一体的に構成された機器となっている。また、携帯型ハードディスクシステム１０は、内部に二次電池２７を備えているため、他の機器と独立して動作可能な携帯機器となっている。
【００４０】
つぎに、携帯型ハードディスクシステム１０の動作について説明をする。
【００４１】
携帯型ハードディスクシステム１０は、ホスト機器１の一部として機能する “ホストドライブモード”と、ホスト機器１とは関係なく単独機器として機能する“スタンドアローンモード”のいずれか一方に動作モードに設定される。動作モードは、接続ケーブル２がＩ／Ｆコネクタ１７に接続されているか否か、ＤＣジャック１８にＡＣアダプタが接続されているか否か、電源オン状態か否かに応じて、図４に示すステートマシーンに基づき切り換えられる。以下、動作モードの遷移を図４に示すステートマシーンを参照して説明する。
【００４２】
状態Ｓ１では、電源オフとされ、ＡＣアダプタが取り外され、接続ケーブル２が取り外されている。状態Ｓ１の動作モードは、スタンドアローンモードとなっている。この状態Ｓ１から、パワーボタン２０がオンされると状態Ｓ２に遷移し、ＡＣアダプタが接続されると状態Ｓ３に遷移し、接続ケーブル２が接続されると状態Ｓ４に遷移する。
【００４３】
状態Ｓ２では、電源オンとされ、ＡＣアダプタが取り外され、接続ケーブル２が取り外されている。状態Ｓ２の動作モードは、スタンドアローンモードである。この状態Ｓ２から、パワーボタン２０がオフされると状態Ｓ１に遷移し、ＡＣアダプタが接続されると状態Ｓ５に遷移し、接続ケーブル２が接続されると状態Ｓ６に遷移する。
【００４４】
状態Ｓ３では、電源オフとされ、ＡＣアダプタが接続され、接続ケーブル２が取り外されている。状態Ｓ３の動作モードは、スタンドアローンモードとなっている。この状態Ｓ３から、パワーボタン２０がオンされると状態Ｓ５に遷移し、ＡＣアダプタが取り外される状態Ｓ１に遷移し、接続ケーブル２が接続されると状態Ｓ７に遷移する。
【００４５】
状態Ｓ４では、電源オフとされ、ＡＣアダプタが取り外され、接続ケーブル２が接続されている。状態Ｓ４の動作モードは、スタンドアローンモードとなっている。この状態Ｓ４から、パワーボタン２０がオンされると状態Ｓ６に遷移し、ＡＣアダプタが接続されると状態Ｓ７に遷移し、接続ケーブル２が取り外されると状態Ｓ１に遷移する。
【００４６】
状態Ｓ５では、電源オンとされ、ＡＣアダプタが接続され、接続ケーブル２が取り外されている。状態Ｓ５の動作モードは、スタンドアローンモードとなっている。この状態Ｓ５から、パワーボタン２０がオフされると状態Ｓ３に遷移し、ＡＣアダプタが取り外されると状態Ｓ２に遷移し、接続ケーブル２が接続されると状態Ｓ８に遷移する。
【００４７】
状態Ｓ６では、電源オンとされ、ＡＣアダプタが取り外され、接続ケーブル２が接続されている。状態Ｓ６の動作モードは、ホストドライブモードとなっている。この状態Ｓ６から、パワーボタン２０がオフされると状態Ｓ４に遷移し、ＡＣアダプタが接続されると状態Ｓ８に遷移し、接続ケーブル２が取り外されると状態Ｓ２に遷移する。
【００４８】
状態Ｓ７では、電源オフとされ、ＡＣアダプタが接続され、接続ケーブル２が接続されている。状態Ｓ６の動作モードは、スタンドアローンモードとなっている。この状態Ｓ７から、パワーボタン２０がオンされると状態Ｓ８に遷移し、ＡＣアダプタが取り外されると状態Ｓ４に遷移し、接続ケーブル２が取り外されると状態Ｓ３に遷移する。
【００４９】
状態Ｓ８では、電源オンとされ、ＡＣアダプタが接続され、接続ケーブル２が接続されている。状態Ｓ８の動作モードは、ホストドライブモードとなっている。この状態Ｓ８から、パワーボタン２０がオフされると状態Ｓ７に遷移し、ＡＣアダプタが取り外されると状態Ｓ６に遷移し、接続ケーブル２が取り外されると状態Ｓ５に遷移する。
【００５０】
ステートマシーンでは、以上のように“ホストドライブモード”又は“スタンドアローンモード”の切り換え制御を行う。
【００５１】
動作モードがホストドライブモードのときには、携帯型ハードディスクシステム１０は、ハードディスクドライブ２１、第１のメモリカードドライブ２２及び第２のメモリカードドライブ２３を、それぞれ独立したデバイスとしてホスト機器１に対して認識させ、ホスト機器１の一機能として動作する。従って、ハードディスクドライブ２１、第１のメモリカードドライブ２２及び第２のメモリカードドライブ２３は、ホスト機器１のオペレーションシステムからそれぞれ個別のストレージデバイスとして管理される。
【００５２】
なお、ホストドライブモードのときにはコピーボタン１２及びリセットボタン１３の操作がされた場合であっても、携帯型ハードディスクシステム１０は、そのボタン入力操作は無視して、なんら制御を行わない。
【００５３】
動作モードがスタンドアローンモードのときには、携帯型ハードディスクシステム１０のメインコントローラ３０は、図５に示す各状態に応じて、次のような制御を行う。
【００５４】
携帯型ハードディスクシステム１０は、電源がオフの状態（電源オフ状態Ｓ１１）からパワーボタン２０が押されることにより電源がオフからオンになった場合には、初期化状態Ｓ１２に遷移する。
【００５５】
初期化状態Ｓ１２では、バッテリコントローラ２８以外の周辺回路を全てリセット動作し、リセット後にハードディスク２４のエラーチェックを行う。このとき、ハードディスク２４に特定のコピー専用フォルダ（又はコピー専用ディレクトリ）が形成されていなければ、コピー専用フォルダをハードディスク２４のファイルシステム上に形成する。以上の動作が完了すると、携帯型ハードディスクシステム１０は、初期化状態Ｓ１２からメモリカードの挿入待ち状態Ｓ１３に遷移する。
【００５６】
メモリカードの挿入待ちの状態Ｓ１３では、第１のメモリカード３ａ又は第２のメモリカード３ｂが挿入されるのを待機している。この状態で第１のメモリカード３ａ又は第２のメモリカード３ｂのいずれか一方が挿入されると、メディアチェック状態Ｓ１４に遷移する。
【００５７】
メディアチェック状態Ｓ１４では、挿入されたメモリカード３ａ又は３ｂのエラーチェックを行う。エラーチェックが完了すると、携帯型ハードディスクシステム１０は、コピー可能状態Ｓ１５に遷移する。
【００５８】
コピー可能状態Ｓ１５では、ユーザによりコピーボタン１２が操作されるのを待機している状態である。なお、コピー可能状態Ｓ１５では、携帯型ハードディスクシステム１０に一方のメモリカード３のみが挿入されている。コピー可能状態Ｓ１５において、他方のメモリカードが挿入された場合、ダブルメディア状態Ｓ１６に遷移する。ダブルメディア状態Ｓ１６では、一方のメモリカードが抜き出されると、再度コピー可能状態Ｓ１４に遷移する。また、コピー可能状態Ｓ１５において、メモリカード３が抜き出されると、メモリカードの挿入待ち状態Ｓ１３に遷移する。
【００５９】
コピー可能状態Ｓ１５では、コピーボタン１２の入力待ち状態となる。メインコントローラ３０は、コピー可能状態Ｓ１５のときのみ、コピーボタン１２の操作の受付処理を行い、それ以外の状態でコピーボタン１２が押されても対応した制御は行わない。メインコントローラ３０は、コピー可能状態Ｓ１５のときにコピーボタン１２が押されると、コピー中状態Ｓ１７に遷移する。
【００６０】
コピー中状態Ｓ１７では、挿入されているメモリカード３内の全データを、ハードディスク２４に形成されているコピー専用フォルダへ複写する。そして、複写が完了するか、又は、リセットボタン１３が押されると、複写を中止してコピー可能状態Ｓ１５に遷移する。
【００６１】
つぎに、コピー中状態Ｓ１７における処理について、図６のフローチャートを参照して説明をする。
【００６２】
コピーボタン１２が押されると、メインコントローラ３０は、ＡＣアダプタが接続されているか否かを判断する（ステップＳ２１）。ＡＣアダプタが接続されていなければ、次のバッテリ残量判断処理（ステップＳ２２）に進む。ＡＣアダプタが接続されていれば、日付フォルダ作成処理（ステップＳ２４）に進む。
【００６３】
バッテリ残量判断処理（ステップＳ２２）では、メインコントローラ３０は、次のような処理を行う。
【００６４】
メインコントローラ３０は、メモリカード３内に現在記録されている情報の総データ容量を検出する。例えば、メモリカード３に形成されているファイルシステムのシステム情報等を参照して総データ量を検出する。続いて、その総データ量をハードディスク２４に記録した場合に必要となる必要電力量Ｐｘを推定する。続いて、二次電池２７の残量検出回路２９から、二次電池２７の現在の電力量Ｐｙを検出する。続いて、メインコントローラ３０は、二次電池２７の現在の電力量Ｐｙが必要電力量Ｐｘ以上であるか否かを判断する。そして、二次電池２７の現在の電力量Ｐｙが必要電力量Ｐｘ以上であればフォルダ作成処理（ステップＳ２４）に進み、二次電池２７の現在の電力量Ｐｙが必要電力量Ｐｘより少なければ第１のエラー処理（ステップＳ２３）に進む。
【００６５】
第１のエラー処理（ステップＳ２３）では、メインコントローラ３０は、二次電池２７の充電残量が足りなかった旨の内容に応じた発光パターンで表示部１４の５つのＬＥＤを発光させ、ユーザにその内容を通知する。メインコントローラ３０は、その通知ののちに当該処理フローを終了する。
【００６６】
フォルダ作成処理（ステップＳ２４）では、メインコントローラ３０は、図７に示すように、ハードディスク２４に形成されているコピー専用フォルダ４１の下位に、日付フォルダ４２を形成する。
【００６７】
ここで、メインコントローラ３０は、日付フォルダ４２のフォルダ名を、図８に示すように、メモリカード３内に記録されているファイルの日付のうちの最新の日付と、インクリメント数との組み合わせのテキストとする。インクリメント数とは、同じ日付で複数のフォルダが形成されている場合における作成順序を示す値であり、初期値（例えば１）から１ずつ順次インクリメントされていく値である。
【００６８】
このようなフォルダ作成処理（ステップＳ２４）を終了すると、コピー動作（ステップＳ２５）に進む。
【００６９】
コピー動作（ステップＳ２５）では、メインコントローラ３０は、挿入されているメモリカード３内の全データを、ステップＳ２４でコピー専用フォルダ４１の下位に作成した日付フォルダ４２内へ複写する処理を行う。なお、コピー動作（ステップＳ２５）の実行中にリセットボタンが押された場合には、コピー動作を終了して当該処理フローを終了する。また、コピー動作中に、例えば、ハードディスクの振動があった場合、メモリカード３の抜き出しがあった場合、メモリカード３内のファイル破損等があった場合には、第２のエラー処理（ステップＳ２６）に進む。メインコントローラ３０は、コピー動作が全て完了すると当該処理フローを終了する。
【００７０】
第２のエラー処理（ステップＳ２６）では、メインコントローラ３０は、コピー動作を中断し、そのエラー内容に応じた発光パターンで表示部１４の５つのＬＥＤを発光させ、ユーザにその内容を通知する。メインコントローラ３０は、通知ののちにユーザによりリセットボタン１３が押されれば、当該処理フローを終了する。また、メインコントローラ３０は、エラー状態が回避されたのち、再度コピーボタン１２がユーザにより押されれば、コピー動作（ステップＳ２５）に戻り、コピー動作を続行する。
【００７１】
以上のように、本発明の実施の形態の携帯型ハードディスクシステム１０では、例えばパソコン等を用いずに、非常に簡単に、メモリカード内に記録されている情報をハードディスクへ複写することができる。
【００７２】
さらに、携帯型ハードディスクシステム１０では、二次電池２７を内蔵しているため、ＡＣアダプタ等を接続せずに、メモリカード内に記録されている情報をハードディスクへ複写することもできる。この際、大容量データを取り扱うこととなるので二次電池２７の電力残量が問題となるが、携帯型ハードディスクシステム１０では、コピー動作前に二次電池２７の電力残量とコピーに必要となる電力量とを比較して確認を行うので、コピー動作中に二次電池２７の電力量が０となることがなく、データ転送の信頼性が向上している。
【００７３】
なお、以上説明した携帯型ハードディスクシステム１０では、コピーボタン１２が押されたときにメモリカード３内の全情報をハードディスク２４に複写するとしているが、メモリカード３内の特定のフォルダ内の情報や特定の種類のファイルのみを複写するものであってもよい。例えば、メモリカード３内の画像データ専用フォルダ内のデータを全て複写し、その他のフォルダのデータは複写しない、といったような処理を行ってもよい。ただし、この場合、コピー動作をする際に必要となる必要電力量は、複写されるデータの総容量に基づき算出する。
【００７４】
また、本発明の実施の形態として、ハードディスクシステムについて説明したが、例えば相変化型の光ディスク、光磁気ディスク等の他のデータ記録媒体のドライブシステムに対してメモリカードドライブを設け、メモリカードから光ディスク等の記録媒体にデータをコピーするコピーボタンを設けることによって、本発明を実現してもよい。
【図面の簡単な説明】
【００７５】
【図１】本発明を適用した携帯型ハードディスクシステムの外観図である。
【図２】上記携帯型ハードディスクシステムをＩ／Ｆコネクタが設けられている側面側から見た外観図である。
【図３】上記携帯型ハードディスクシステムの電気的なブロック構成図である。
【図４】上記携帯型ハードディスクシステムの動作モードを制御するステートマシーンを説明する図である。
【図５】スタンドアローンモード時における状態制御をするステートマシーンを説明する図である。
【図６】コピー動作時の処理手順を示すフローチャートである。
【図７】ハードディスク内に記録されるフォルダ（ディレクトリ）を説明するための図である。
【図８】上記フォルダ（ディレクトリ）名を説明するための図である。
【符号の説明】
【００７６】
１  ホスト機器、１０  携帯型ハードディスクシステム、２  接続ケーブル、３  メモリカード、１２  コピーボタン、１３  リセットボタン、１４  表示部、１８  ＤＣジャック、１９  パワーボタン、２１  ハードディスクドライブ、２２，２３  メモリカードドライブ、２４  ハードディスク、２７  二次電池、２９  残量検出回路、３０  メインコントローラ
【図１】
2005148852.tif 000003
【図２】
2005148852.tif 000004
【図３】
2005148852.tif 000005
【図４】
2005148852.tif 000006
【図５】
2005148852.tif 000007
【図６】
2005148852.tif 000008
【図７】
2005148852.tif 000009
【図８】
2005148852.tif 000010